(57)【特許請求の範囲】
【請求項１】
要求に応じた情報を提供するサービスサーバが接続された通信網に接続されると共に、無線通信機器に対する基地局信号を発生する複数個の基地局信号発生手段と、
前記複数個の基地局信号発生手段に制御信号を供給する制御手段と、
を備え、固定された位置において前記無線通信機器における試験を行う試験環境装置であって、
前記基地局信号発生手段は、
前記無線通信機器からの測位結果の地図上位置情報を含む前記サービスサーバへのアクセス要求を受信して、前記通信網を通じて前記サービスサーバに送信する受信信号処理手段と、
前記サービスサーバからの前記地図上位置情報に応じた提供情報を受信して、アクセス要求元の前記無線通信機器に送信する送信信号処理手段と
を備え、
前記制御手段は、
前記無線通信機器を実際に使用しようとする国の特定の地域の地図上に設定された移動経路を前記無線通信機器が移動すると仮定したときに、前記移動経路上の各位置において前記無線通信機器が受信可能な前記特定の地域の実際上の複数の基地局からの基地局信号を、前記無線通信機器が実際上受信するものと同等となるように、前記複数個の基地局信号発生手段からの前記基地局信号の送信出力を制御する基地局信号制御手段と
を備える試験環境装置。
【請求項２】
測位用衛星からの測位用電波と同等の測位用電波を発生する機能を有する複数個の測位用電波発生手段をさらに備え、
前記制御手段は、
前記無線通信機器を実際に使用しようとする国の特定の地域の地図上に設定された移動経路を前記無線通信機器が移動すると仮定したときに、実際に前記移動経路上の各位置において前記無線通信機器が受信可能な複数の測位用衛星からの測位用電波を、前記無線通信機器が実際上受信するものと同等となるように、前記複数個の測位用電波発生手段からの前記測位用電波の送信信号を制御する測位用電波制御手段を備える
ことを特徴とする請求項１に記載の試験環境装置。
【請求項３】
前記無線通信機器は携帯電話端末であって、
基地局信号発生手段は、前記通信網を通じて交換局に接続されるフェムトセル基地局である
ことを特徴とする請求項１または請求項２に記載の試験環境装置。
【請求項４】
前記制御手段は、前記基地局信号発生手段に対して、前記移動経路上に位置において前記無線通信機器が受信可能な複数の基地局のいずれであるかの基地局識別子を与えると共に、前記無線通信機器の移動にしたがって前記基地局識別子を切り替える
ことを特徴とする請求項１〜請求項３のいずれかに記載の試験環境装置。
【請求項５】
前記制御手段は、前記測位用電波発生手段に対して、前記移動経路上に位置において前記無線通信機器が受信可能な複数の測位用衛星のいずれであるかの衛星識別子を与えると共に、前記無線通信機器の移動にしたがって前記衛星識別子を切り替える
ことを特徴とする請求項２に記載の試験環境装置。
【請求項６】
静止位置に置かれる試験対象の無線通信機器と、
要求に応じた情報を提供するサービスサーバが接続された通信網に接続されていると共に、前記無線通信機器に対する基地局信号を発生する複数個の基地局信号発生装置と、
前記複数個の基地局信号発生装置に制御信号を供給する制御装置と、
を備え、前記無線通信機器は静止位置において試験を行う試験環境システムであって、
前記無線通信機器は、前記基地局信号を受信して、現在位置を検出する機能と、検出された現在位置に関連する所定の処理機能を実行するアプリケーションプログラムを備え、
前記基地局信号発生装置は、
前記無線通信機器からの測位結果の地図上位置情報を含む前記サービスサーバへのアクセス要求を受信して、前記通信網を通じて前記サービスサーバに送信する受信信号処理手段と、
前記サービスサーバからの前記地図上位置情報に応じた提供情報を受信して、アクセス要求元の前記無線通信機器に送信する送信信号処理手段と
を備え、
前記制御装置は、
前記無線通信機器を実際に使用しようとする国の特定の地域の地図上に設定された移動経路を前記無線通信機器が移動すると仮定したときに、前記移動経路上の各位置において前記無線通信機器が受信可能な前記特定の地域の実際上の複数の基地局からの基地局信号を、前記無線通信機器が実際上受信するものと同等となるように、前記複数個の基地局信号発生装置からの前記基地局信号の送信出力を制御する基地局信号制御手段を備え、
前記無線通信機器に搭載される前記アプリケーションプログラムの動作試験を行う
試験環境システム。
【請求項７】
測位用衛星からの測位用電波と同等の測位用電波を発生する機能を有する複数個の測位用電波発生装置をさらに備えると共に、
前記無線通信機器は、前記測位用電波を受信して、現在位置を検出する機能を備え、
前記制御装置は、
前記無線通信機器を実際に使用しようとする国の特定の地域の地図上に設定された移動経路を前記無線通信機器が移動すると仮定したときに、実際に前記移動経路上の各位置において前記無線通信機器が受信可能な複数の測位用衛星からの測位用電波を、前記無線通信機器が実際上受信するものと同等となるように、前記複数個の測位用電波発生手段からの前記測位用電波の送信信号を制御する測位用電波制御手段を
備えることを特徴とする請求項６に記載の試験環境システム。
【発明の詳細な説明】
【技術分野】
【０００１】
この発明は、例えば携帯電話端末などの無線通信機器を試験するための試験環境装置および試験環境システムに関する。
【背景技術】
【０００２】
例えば、携帯電話端末の基本的な送受機能の試験は、例えば特許文献１（特開２００９−２１８９９８号公報）に示されるように、工場内において発呼シーケンスおよび着呼シーケンスを回線シミュレータなどを用いて実行させることができる。しかし、この種の試験装置では、実際の受信環境における複数の基地局からの基地局信号を切り替えたりしながらの送受信の試験はできない。
【０００３】
そこで、従来から、実際に、携帯電話端末を携帯した作業者が、所定の移動経路を移動しながら、通信を行って試験を実行することが行われていた。特に、携帯電話端末の現在位置に基づいて、現在位置周辺地図を表示したり、現在位置周辺施設情報を表示したりするアプリケーションプログラムの試験は、上述のように作業者が実際に移動を行いながらアプリケーションを実行して動作確認することが行われていた。
【先行技術文献】
【特許文献】
【０００４】
【特許文献１】特開２００９−２１８９９８号公報
【発明の概要】
【発明が解決しようとする課題】
【０００５】
しかしながら、日本で使用される携帯電話端末の最終的な性能試験や、当該携帯電話端末に搭載される上記のようなアプリケーションプログラムの動作試験は、日本の携帯電話の通信事業者からの電波が海外では受信できないので、海外で行うことはできなかった。このため、例えば、日本で使用される携帯電話端末が海外で生産される場合であっても、完成品の最終的な性能試験や完成品に搭載されるアプリケーションプログラムの動作試験は、わざわざ日本に持ってきて行う必要がある。
【０００６】
逆に、海外で使用される携帯電話端末を日本で生産する場合にも、上記のような試験は、海外の通信事業者からの電波を受信できない日本で行うことはできず、完成品を、使用する海外に持っていって試験を行う必要があった。
【０００７】
この発明は、以上の点にかんがみ、あたかも携帯電話端末などの無線通信機器が実際に使用される場所で試験が実際的に行われるような環境を提供することを目的とする。
【課題を解決するための手段】
【０００８】
上記の課題を解決するために、請求項１の発明は、
要求に応じた情報を提供するサービスサーバが接続された通信網に接続されると共に、無線通信機器に対する基地局信号を発生する複数個の基地局信号発生手段と、
前記複数個の基地局信号発生手段に制御信号を供給する制御手段と、
を備え、固定された位置において前記無線通信機器における試験を行う試験環境装置であって、
前記基地局信号発生手段は、
前記無線通信機器からの測位結果の地図上位置情報を含む前記サービスサーバへのアクセス要求を受信して、前記通信網を通じて前記サービスサーバに送信する受信信号処理手段と、
前記サービスサーバからの前記地図上位置情報に応じた提供情報を受信して、アクセス要求元の前記無線通信機器に送信する送信信号処理手段と
を備え、
前記制御手段は、
前記無線通信機器を実際に使用しようとする国の特定の地域の地図上に設定された移動経路を前記無線通信機器が移動すると仮定したときに、前記移動経路上の各位置において前記無線通信機器が受信可能な前記特定の地域の実際上の複数の基地局からの基地局信号を、前記無線通信機器が実際上受信するものと同等となるように、前記複数個の基地局信号発生手段からの前記基地局信号の送信出力を制御する基地局信号制御手段と
を備える試験環境装置を提供する。
【０００９】
上述の構成の試験環境装置においては、固定された位置に在る無線通信機器に対して、複数個の基地局信号発生手段からの基地局信号が供給される。そして、それら複数個の基地局信号発生手段からの基地局信号は、無線通信機器を実際に使用しようとする国の特定の地域の地図上に設定された移動経路を無線通信機器が移動すると仮定したときに、移動経路上の各位置において無線通信機器が受信可能な当該特定の地域の実際上の複数の基地局からの基地局信号と同等となるように、制御手段により制御されている。
【００１０】
したがって、試験対象の無線通信機器は、固定された位置に在っても、実際に移動経路上を移動しているときに基地局から送信される基地局信号を受信するのと同等となる。すなわち、請求項１の発明による試験環境装置によれば、試験対象の無線通信機器は、任意の場所において、特定の地図上の移動経路を移動したときの基地局信号を受信することができるようになり、あたかも、前記特定の地図上を移動したときの試験が可能になる。
【００１１】
また、請求項２の発明は、請求項１に記載の試験環境装置において、
測位用衛星からの測位用電波と同等の測位用電波を発生する機能を有する複数個の測位用電波発生手段をさらに備え、
前記制御手段は、
前記無線通信機器を実際に使用しようとする国の特定の地域の地図上に設定された移動経路を前記無線通信機器が移動すると仮定したときに、実際に前記移動経路上の各位置において前記無線通信機器が受信可能な複数の測位用衛星からの測位用電波を、前記無線通信機器が実際上受信するものと同等となるように、前記複数個の測位用電波発生手段からの前記測位用電波の送信信号を制御する測位用電波制御手段を備える
ことを特徴とする請求項１に記載の試験環境装置。
【００１２】
この請求項２の発明においては、複数個の測位用電波発生手段からの、測位用衛星からの測位用電波と同等の測位用電波が無線通信危機に供給される。そして、それら複数個の測位用電波発生手段からの測位用電波は、無線通信機器を実際に使用しようとする国の特定の地域の地図上に設定された移動経路を無線通信機器が移動すると仮定したときに、実際に移動経路上の各位置において無線通信機器が受信可能な複数の測位用衛星からの測位用電波と同等となるように、制御手段により制御されている。
【００１３】
したがって、試験対象の無線通信機器は、固定された位置に在っても、実際に移動経路上を移動しているときに測位用衛星から送信される測位用電波を受信するのと同等の状態となる。すなわち、請求項２の発明による試験環境装置によれば、試験対象の無線通信機器は、任意の場所において、特定の地図上の移動経路を移動したときの測位用電波を受信することができるようになる。
【００１４】
このため、測位用電波を受信して現在位置を検出する機能を備えると共に、検出された現在位置情報に関連する所定の処理機能を実行するアプリケーションプログラムを搭載している試験対象の無線通信機器において、任意の場所において、前記アプリケーションプログラムの動作試験を行うことができる。
【発明の効果】
【００１５】
この発明によれば、あたかも無線通信機器が実際に使用される場所で試験が実際的に行われるような環境を提供することができる。したがって、日本で使用される無線通信機器を、海外で生産して最終試験までをすることができ、逆に、海外で使用される無線通信機器を、日本で生産して最終試験までをすることができる。
【図面の簡単な説明】
【００１６】
【図１】この発明による試験環境装置の実施形態の説明するためのシステム構成図である。
【図２】実施形態の試験環境装置を構成する基地局信号発生手段の一例の構成を示すブロック図である。
【図３】実施形態の試験環境装置を構成するＧＰＳ電波発生器の一例の構成を示すブロック図である。
【図４】実施形態の試験環境装置を構成する制御用パソコンの一例の構成を示すブロック図である。
【図５】実施形態の試験環境装置で実行される試験スケジュールの一例を説明するために用いる図である。
【図６】実施形態の試験環境装置を構成する制御用パソコンの処理動作の一例を説明するためのフローチャートの一部を示す図である。
【図７】実施形態の試験環境装置を構成する制御用パソコンの処理動作の一例を説明するためのフローチャートの一部を示す図である。
【発明を実施するための形態】
【００１７】
以下、この発明による試験環境装置および試験環境システムの実施形態を、図を参照しながら説明する。図１は、この発明による試験環境装置を含む試験環境システムの実施形態の全体の構成を示すブロック図である。
【００１８】
図１において、点線で囲んで示すのは、試験環境室１０であり、これは例えば地下室など、この実施形態で必要とする電波が他の電波と干渉しない空間である。
【００１９】
この実施形態では、この試験環境室１０には、フェムトセル基地局１１，１２，１３と、ＧＰＳ（Global  Positioning  System）電波発生器２１，２２，２３，２４と、制御用パーソナルコンピュータ（以下、パソコンと略称する）３０と、試験結果収集装置４０とからなる試験環境装置が設けられる。そして、この例においては、この試験環境室１０には、試験対象の無線通信機器の例として、携帯電話端末５０が設けられる。
【００２０】
この例の試験対象の携帯電話端末５０は、測位用電波（以下、ＧＰＳ電波という）の受信アンテナ（図示を省略）を備え、受信したＧＰＳ電波から自端末の現在位置を測位する機能を備える。また、この実施形態の携帯電話端末５０は、受信したＧＰＳ電波から測位した自端末の現在位置を、基地局から受信した情報を用いて、より精度良く補正する機能も備える。
【００２１】
また、この実施形態の携帯電話端末５０は、ＧＰＳ電波を用いる測位については、Ａ−ＧＰＳ方式を採用しており、基地局を通じてＧＰＳ測位のためのアルマナックデータを得るようにしている。
【００２２】
さらに、この実施形態の携帯電話端末５０は、検出した自端末の現在位置情報を、後述するサービスサーバ６３に送り、このサービスサーバ６３から、前記現在位置情報に関連するサービス情報を取得することができる機能を備えている。携帯電話端末５０は、この現在位置情報に関連するサービス情報を取得することができる機能を実現するためのアプリケーションプログラムを搭載している。
【００２３】
また、さらに、この実施形態では、携帯電話端末５０は、ＧＰＳ電波のみから測位するのではなく、基地局からの基地局信号をも用いて、より詳細な現在位置の測位を可能にしている。携帯電話端末５０は、ＧＰＳ衛星からの測位用電波が全く受信できない場合には、３個の基地局からの信号を受信して、自端末の位置を知ることができる。
【００２４】
フェムトセル基地局１１，１２，１３は、基地局信号発生手段または基地局信号発生装置の例であり、試験対象機器である携帯電話端末５０に基地局信号を送信する。これらフェムトセル基地局１１，１２，１３は、通信ネットワーク６１の例えば光インターネット（ブロードバンド回線）に接続される。
【００２５】
後述するように、この実施形態では、試験対象の携帯電話端末５０が、地図上に設定された移動経路を実際に移動したときと同様の試験環境を、試験環境室１０に生成して、試験を実行するようにする。フェムトセル基地局１１，１２，１３は、携帯電話端末５０の試験の際には、あたかも、当該携帯電話端末５０が地図上に設定された移動経路を実際に移動したときに受信できる基地局の振る舞いをするように、制御用パソコン３０により制御される。
【００２６】
通信ネットワーク６１には、試験用位置管理サーバ６２が接続され、この試験用位置管理サーバ６２にはサービスサーバ６３が接続されている。また、制御用パソコン３０は、通信ネットワーク６１を通じて試験用位置管理サーバ６２にアクセスすることができるように構成されている。
【００２７】
通常の位置管理サーバは、中継局などに設けられ、各基地局の番号、各基地局の設置位置の緯度および経度などを管理すると共に、基地局から送られてくる携帯電話端末の端末識別情報や当該携帯電話端末からの電波の受信電界強度の情報から、携帯電話端末の位置を三角測量の手法を用いて算出して管理する機能を備える。また、位置管理サーバは、算出した携帯電話端末の位置情報を、当該携帯電話端末に送ったり、さらに、その位置情報から、各携帯電話端末に必要なアルマナックデータを、それぞれの携帯電話端末に送ったりする機能も備える。
【００２８】
試験用位置管理サーバ６２は、試験用の基地局となるフェムトセル基地局１１，１２，１３に対して、通常の位置管理サーバと同様の働きをする。そのために、試験用位置管理サーバ６２には、試験用の基地局となるフェムトセル基地局１１，１２，１３の識別情報と、携帯電話端末５０の端末識別情報とが予め位置管理サーバ６２に登録されている。また、試験用位置管理サーバ６２は、制御用パソコン３０からのアクセスを試験用のアクセスとして認識するようにする。
【００２９】
そして、この例の試験用位置管理サーバ６２は、制御用パソコン３０からの、通信ネットワーク６１を通じた位置情報（緯度、経度）を伴う基地局の情報の問い合わせに対して、当該位置情報で特定される位置で受信可能な基地局の番号、当該基地局の設置位置の緯度および経度を返信応答する機能を備える。
【００３０】
制御用パソコン３０は、後述するように、この試験用位置管理サーバ６２から受け取った基地局番号をフェムトセル基地局１１，１２，１３に設定すると共に、受け取った各基地局の設置位置情報から、フェムトセル基地局１１，１２，１３に供給する基地局制御信号を生成するようにする。
【００３１】
この試験用位置管理サーバ６２は、通常の位置管理サーバとは別個に独立して設けて良いし、通常の位置管理サーバに、付加機能として設けるようにしても良い。
【００３２】
サービスサーバ６３は、この試験用位置管理サーバ６２に接続されている。サービスサーバ６３は、通信ネットワーク６１および試験用位置管理サーバ６２を通じて、携帯電話端末５０から、位置情報と当該位置情報で示される位置においてユーザが欲する情報の指定情報とを受け取ると、受け取った位置情報に関連して、ユーザが指定した情報を、データベースから検索して、携帯電話端末５０に提供する。
【００３３】
サービスサーバ６３は、例えば、携帯電話端末から位置情報と、その位置付近の地図情報の要求を受け取ると、受け取った位置情報で特定される位置を中心とした地図情報を、データベースから検索して生成し、携帯電話端末に提供する。また、ユーザが、携帯電話端末から、位置情報と、レストランなどの飲食店についてのその位置周辺の情報を要求すると、サービスサーバ６３は、受け取った位置情報で特定される位置周辺の飲食店情報をデータベースから検索し、地図上にそれらの飲食店を表示したデータを生成して、携帯電話端末に提供する。
【００３４】
そして、この実施形態では、フェムトセル基地局１１，１２，１３は、制御用パソコン３０に、例えばケーブルを通じて有線接続されている。フェムトセル基地局１１，１２，１３と制御用パソコン３０とは無線接続するようにしても良い。
【００３５】
この例のフェムトセル基地局１１，１２，１３のそれぞれは、制御用パソコン３０からの制御信号を受けて、それぞれが発生する基地局信号の送信電力を制御する構成を備える。また、この例においては、フェムトセル基地局１１，１２，１３は、制御用パソコン３０からの制御信号により、自局の識別子（基地局ＩＤ（Identification））を切り替えることが可能である。
【００３６】
また、この実施形態では、フェムトセル基地局１１，１２，１３のそれぞれは、試験の実行に際しては、試験用位置管理サーバ６２からのアルマナックデータを受けて、基地局信号に含めて携帯電話端末５０に供給するようにする。制御用パソコン３０は、試験に際して、地図上の携帯電話端末５０の位置の情報を、試験用位置管理サーバ６２に通信ネットワーク６１を通じて送る。試験用位置管理サーバ６２は、受信した位置情報に基づいて必要なアルマナックデータを生成し、フェムトセル基地局１１，１２，１３を通じて、携帯電話端末５０に送るようにする。
【００３７】
図１の例では、３個のフェムトセル基地局１１，１２，１３が、試験環境室１０内に設けられるが、１個以上であれば、何個であっても良い。ただし、試験環境室１０内にはフェムトセル基地局を複数個設けた方がよい。なぜなら、実際の携帯電話端末の受信環境においては、携帯電話端末の移動に伴い、複数個の基地局からの基地局信号を受信し、例えば基地局のハンドオーバー制御などをしたり、ＣＤＭＡ方式におけるレイク受信をしたりする必要があるためである。
【００３８】
ＧＰＳ電波発生器２１，２２，２３，２４のそれぞれは、測位用電波発生手段または測位用電波発生装置の例であり、測位用のＧＰＳ衛星からのＧＰＳ電波と同等のＧＰＳ電波を発生する。
【００３９】
また、この実施形態では、ＧＰＳ電波発生器２１，２２，２３，２４のそれぞれは、制御用パソコン３０に、例えばケーブルを通じて接続されている。フェムトセル基地局１１，１２，１３と制御用パソコン３０とは無線接続するようにしても良い。
【００４０】
この例のＧＰＳ電波発生器２１，２２，２３，２４は、それぞれ、制御用パソコン３０からの制御信号を受けて、それぞれが発生するＧＰＳ電波の送信電力を制御する構成を備える。
【００４１】
また、ＧＰＳ電波発生器２１，２２，２３，２４は、それぞれ、制御用パソコン３０からの制御信号により、自発生器の識別子（ＧＰＳ衛星ＩＤに相当）を切り替えることが可能である。また、ＧＰＳ電波発生器２１，２２，２３，２４には、識別子の切り替えに応じて、制御用パソコン３０から、航法メッセージデータ（航法情報）のうちの少なくともエフェメリスデータが供給される。
【００４２】
図１の例では、４個のＧＰＳ電波発生器２１，２２，２３，２４が、試験環境室１０内に設けられるが、これは、ＧＰＳ電波から測位するためには、４個の衛星からのＧＰＳ電波が必要であるからである。したがって、試験環境室１０内に設けるＧＰＳ電波発生器は、４個以上であれば、何個であっても良い。
【００４３】
制御用パソコン３０は、この実施形態の試験環境装置における携帯電話端末５０の試験を行う際の全体の制御をするためのものである。この制御用パソコン３０は、後述するように、試験対象の携帯電話端末５０を使用したい国や地域の地図データを格納するメモリを有すると共に、その地図上での試験対象の携帯電話端末５０の仮想的試験スケジュールの設定入力を受け付ける機能を備える。
【００４４】
この実施形態では、携帯電話端末５０が備える、現在位置情報に関連するサービス情報を取得することができる機能を実現するためのアプリケーションプログラムが、正しく動作するか否かの試験を行うものとし、そのための、仮想的試験スケジュールを設定する。
【００４５】
この仮想的試験スケジュールには、試験対象の携帯電話端末５０が、地図上で仮想的に移動する移動経路および移動速度の設定入力と、幾つかの地図上位置で停止して、サービスサーバ６３にアクセスして、サービスを受ける設定入力とを含む。
【００４６】
制御用パソコン３０は、設定入力された仮想的試験スケジュールに基づいて、地図上を試験対象の携帯電話端末５０を仮想的に移動させる。そして、制御用パソコン３０は、この仮想的試験スケジュールに基づいて、フェムトセル基地局１１，１２，１３およびＧＰＳ電波発生器２１，２２，２３，２４を制御することにより、あたかも、地図上の場所で携帯電話端末５０を実際に移動させて試験をした場合と同様の試験ができるようにする。
【００４７】
地図上の位置に対応する実際の位置に携帯電話端末５０が存在する場合には、携帯電話端末５０は当該位置において通信可能な１または複数の基地局からの基地局信号を受信する。そして、携帯電話端末５０が受信する基地局信号の受信電界強度は、携帯電話端末５０と基地局との間の距離に応じたものとなる。
【００４８】
この実施形態では、この携帯電話端末５０と、実際上の複数の基地局との関係を、携帯電話端末５０とフェムトセル基地局１１，１２，１３で代替表現するようにする。すなわち、地図上位置に対応する実際位置において受信可能な基地局の基地局ＩＤ（基地局番号）を、制御用パソコン３０が、フェムトセル基地局１１，１２，１３に割り当てる。そして、地図上位置に対応する実際位置における携帯電話端末５０と基地局との距離に応じた受信電界強度は、制御用パソコン３０が、フェムトセル基地局１１，１２，１３からの基地局信号の送信電力を制御することで仮想的に得られるようにする。
【００４９】
そして、設定入力された仮想的試験スケジュールに基づいて、地図上を試験対象の携帯電話端末５０を仮想的に移動させる際には、その移動に応じて、制御用パソコン３０は、フェムトセル基地局１１，１２，１３の基地局ＩＤを選択切替しながら、それぞれの基地局信号の送信電力を制御するようにする。
【００５０】
この実施形態では、フェムトセル基地局１１，１２，１３は、試験対象の携帯電話端末５０に対して互いに異なる方向に、携帯電話端末５０からそれぞれ、予め定められた基準距離だけ離れて配置される。このようにフェムトセル基地局１１，１２，１３のそれぞれと携帯電話端末５０との離隔距離を基準の等距離とするのは、制御用パソコン３０によるフェムトセル基地局１１，１２，１３の送信電力制御を容易にするためである。
【００５１】
なお、携帯電話端末５０とフェムトセル基地局１１，１２，１３のそれぞれとの距離が予め分かっている場合には、それらの距離を参照して、フェムトセル基地局１１，１２，１３の送信電力制御をすることは可能であるので、フェムトセル基地局１１，１２，１３のそれぞれと携帯電話端末５０との離隔距離を基準の等距離とすることは必須ではない。
【００５２】
以上は、設定入力された仮想的試験スケジュールに基づいて地図上を試験対象の携帯電話端末５０を仮想的に移動させる場合における、携帯電話端末５０と、基地局との関係について考察したが、測位用衛星からのＧＰＳ電波についても、制御用パソコン３０と、ＧＰＳ電波発生器２１，２２，２３，２４を用いることにより、同様にできる。
【００５３】
すなわち、地図上の位置に対応する実際の位置に携帯電話端末５０が存在する場合には、携帯電話端末５０は当該位置において受信可能な１または複数のＧＰＳ衛星からのＧＰＳ電波を受信して測位を実行する。このとき、携帯電話端末５０が受信するＧＰＳ電波の受信電界強度は、携帯電話端末５０と衛星との間の距離に応じたものとなる。
【００５４】
この実施形態では、この携帯電話端末５０と、実際上の複数の測位用衛星との関係を、携帯電話端末５０とＧＰＳ電波発生器２１，２２，２３，２４で代替表現するようにする。すなわち、制御用パソコン３０は、地図上位置に対応する実際位置において受信可能な測位用衛星ＩＤを、ＧＰＳ電波発生器２１，２２，２３，２４に割り当てる。そして、地図上位置に対応する実際位置における携帯電話端末５０と測位用衛星との距離に応じた受信電界強度は、制御用パソコン３０が、ＧＰＳ電波発生器２１，２２，２３，２４からのＧＰＳ電波の送信電力を制御することで仮想的に得られるようにする。
【００５５】
そして、制御用パソコン３０は、ＧＰＳ電波発生器２１，２２，２３，２４についても、地図上における試験対象の携帯電話端末５０の仮想的移動に応じて、ＧＰＳ電波発生器の識別子（測位用衛星ＩＤに相当）を選択切替しながら、それぞれのＧＰＳ電波の送信電力を制御するようにする。
【００５６】
なお、ＧＰＳ電波発生器２１，２２，２３，２４は、この実施形態では、試験対象の携帯電話端末５０に対して互いに異なる方向に、携帯電話端末５０からそれぞれ、予め定められた所定の基準距離だけ離れて配置される。この基準距離は、フェムトセル基地局１１，１２，１３の場合と同じであっても良いし、異なっても良い。このようにＧＰＳ電波発生器２１，２２，２３，２４のそれぞれと携帯電話端末５０との離隔距離を基準の等距離とするのは、ＧＰＳ電波発生器２１，２２，２３，２４の送信電力制御を容易にするためである。
【００５７】
以上のような構成および制御により、この実施形態の試験環境装置においては、携帯電話端末５０が、地図上の位置に現実には存在していなくても、その地図上位置を測位結果として得るようにすることができる。換言すれば、携帯電話端末５０の送受信機能や、ＧＰＳ電波および基地局信号を用いた測位演算機能が正しく動作していれば、試験スケジュールで定めた位置が、測位結果として得られ、もしも、携帯電話端末５０に不具合があれば、所期の測位結果が得られない。よって、この実施形態の試験環境装置によれば、携帯電話端末５０が、地図上の位置に現実には存在していなくても、その地図上位置で試験を実施したのと同等の結果が得られ、携帯電話端末５０の性能試験が可能となる。
【００５８】
そして、この実施形態では、フェムトセル基地局１１，１２，１３は、ブロードバンド回線を介してインターネットに接続されているので、携帯電話端末５０から、測位結果の地図上位置情報をサービスサーバ６３に送ることにより、サービスサーバ６３から、現在位置に関連するサービス、例えば現在位置周辺地図の提供や周辺施設の案内などのサービスを受けることが可能となっている。
【００５９】
換言すれば、携帯電話端末５０に搭載されているアプリケーションプログラムが所期の通りに動作する場合には、携帯電話端末５０は、正しい現在位置に関連する所期のサービス情報の提供を、サービスサーバ６３から得られるはずである。これに対して、もしも、アプリケーションプログラムに不具合があれば、携帯電話端末５０は所期のサービス情報を取得することができない。
【００６０】
こうして、この実施形態の試験環境装置によれば、携帯電話端末５０が、地図上の位置に現実には存在していなくても、その地図上位置で、アプリケーションプログラムの試験を実施したのと同等の結果が得られる。
【００６１】
試験結果収集装置４０は、携帯電話端末５０のデータ出力端子に接続され、上述した試験の実施時における携帯電話端末５０における処理結果のデータを、受信して、格納する。この試験結果収集装置４０は、試験スケジュールの通りに正しく動作したときの携帯電話端末５０の処理結果のデータを、比較用理想データとして備えており、その比較用理想データと、試験時の処理結果のデータとを比較することができる。
【００６２】
例えば、試験結果収集装置４０は、試験スケジュールにより設定された地図上の位置情報を格納している。そして、試験結果収集装置４０は、当該地図上の位置情報で示される位置に仮想的に存在するときの携帯電話端末５０からの測位位置情報を試験結果として取得して、両者を比較表示するようにする。これにより、前述した携帯電話端末５０の性能評価試験ができる。
【００６３】
また、試験結果収集装置４０は、試験スケジュールにより設定された地図上の位置に関連するサービス情報を、サービスサーバ６３から取得して保持している。そして、当該地図上の位置情報で示される位置に仮想的に存在するときに携帯電話端末５０がサービスサーバ６３から取得したサービス情報を試験結果として取得し、両者を比較表示するようにする。これにより、前述した携帯電話端末５０に搭載されたアプリケーションプログラムの評価試験ができる。
【００６４】
次に、フェムトセル基地局１１，１２，１３、ＧＰＳ電波発生器２１，２２，２３，２４および制御用パソコン３０の具体的ハードウエア構成例について説明する。
【００６５】
［フェムトセル基地局のハードウエア構成例］
図２に、この実施形態のフェムトセル基地局１１，１２，１３のハードウエア構成例を示す。フェムトセル基地局１１，１２，１３は、同一の構成を有するので、この図２ではフェムトセル基地局１１の構成を代表として示す。
【００６６】
フェムトセル基地局１１は、制御部１１０と、ブロードバンド回線インターフェース１１１と、送信信号生成部１１２と、受信信号処理部１１３と、送信アンプ１１４と、受信アンプ１１５と、アンテナ分配回路１１６と、送受信アンテナ１１Ａとからなる。送信アンプ１１４は、制御用パソコン３０からの送信電力制御信号に基づく制御部１１０からの利得制御信号により利得制御されて、送信信号の送信電力を制御することが可能な構成とされている。
【００６７】
制御部１１０は、ブロードバンド回線インターフェース１１１、送信信号生成部１１２、受信信号処理部１１３、送信アンプ１１４、の各部に接続されている。また、制御部１１０は、制御用パソコン３０と接続されており、制御用パソコン３０から制御信号を受けると共に、この実施形態では、Ａ−ＧＰＳ用のアルマナックデータを受ける。
【００６８】
携帯電話端末５０の待ち受け受信時には、送信信号生成部１１２で生成された基地局信号が、送信アンプ１１４を通じ、アンテナ分配回路１１６を通じて送受信アンテナ１１Ａから送信される。このとき制御部１１０は、制御用パソコン３０から送られてくる基地局ＩＤ（基地局番号）を送信する基地局信号に含める。
【００６９】
また、制御部１１０は、制御用パソコン３０から送られてくる送信アンプ１１４の送信電力制御信号に基づいて、送信アンプ１１４を利得制御して、基地局信号の送信電力を制御する。この送信電力の制御は、フェムトセル基地局１１からの基地局信号の携帯電話端末５０での受信電界強度が、携帯電話端末５０が地図上の所定の位置に実際に在るときに、実際上の基地局からの基地局信号を受信したときと同じ受信電界強度となるようにするためのものである。
【００７０】
また、アンテナ１１Ａで受信した携帯電話端末５０からの受信信号は、アンテナ分配回路１１６および受信アンプ１１５を通じて受信信号処理部１１３に供給される。受信信号処理部１１３は、制御部１１０の制御の下に、呼制御メッセージについては制御部１１０に送り、通話音声データやサービスサイトへのアクセスデータは、ブロードバンド回線インターフェース１１１を通じて通信網に送出する。
【００７１】
以上のことから判るように、制御用パソコン３０からの送信電力制御信号および基地局ＩＤを受けることにより、フェムトセル基地局１１，１２，１３のそれぞれは、いずれの基地局の代替にもなることができる。
【００７２】
［ＧＰＳ電波発生器のハードウエア構成例］
図３に、この実施形態のＧＰＳ電波発生器２１，２２，２３，２４のハードウエア構成例を示す。ＧＰＳ電波発生器２１，２２，２３，２４は、同一の構成を有するので、この図３ではＧＰＳ電波発生器２１の構成を代表として示す。
【００７３】
ＧＰＳ電波発生器２１は、制御部２１０と、原子時計部２１１と、送信信号生成部２１２と、航法メッセージメモリ２１３と、スペクトラム拡散信号生成部２１４と、拡散符号発生部２１５と、送信アンプ２１６とからなる。送信アンプ２１６は、制御部２１０からの利得制御信号により利得制御されて、送信信号の送信電力を制御することが可能な構成とされている。
【００７４】
制御部２１０は、制御用パソコン３０と接続されており、制御用パソコン３０から、この実施形態では、ＧＰＳ衛星ＩＤや、拡散符号切り替え信号や、送信電力制御信号を受けると共に、アルマナックデータおよびエフェメリスデータを受ける。制御部２１０は、制御用パソコン３０から受信したアルマナックデータおよびエフェメリスデータを航法メッセージメモリ２１３に格納する。
【００７５】
ＧＰＳ衛星ＩＤは、制御部２１０から送信信号生成部２１２に送られる。また、拡散符号切り替え信号は、拡散符号発生部２１５に供給される。この実施形態では、拡散符号発生部２１５は、現在、打ち上げられている測位用ＧＰＳ衛星のそれぞれで使用されている拡散符号の全てを発生可能であり、拡散符号切り替え信号により、いずれの拡散符号を発生するかが決定される。
【００７６】
原子時計部２１１は、基準となる時刻情報を発生するもので、その時刻情報を送信信号生成部２１２に供給する。
【００７７】
送信信号生成部２１２は、原子時計部２１１からの時刻情報と、航法メッセージメモリ２１３からの航法メッセージデータと、制御部２１０からのＧＰＳ衛星ＩＤとから、送信信号を生成し、スペクトラム拡散信号生成部２１４に供給する。
【００７８】
スペクトラム拡散信号生成部２１４は、拡散符号発生部２１５からの拡散符号により送信信号生成部２１２からの送信信号をスペクトラム拡散して、測位用信号を生成する。そして、スペクトラム拡散信号生成部２１４は、生成した測位用信号を送信アンプ２１６を通じ、アンテナ２１Ａを通じて、ＧＰＳ電波として送信する。
【００７９】
前述したように、このとき、送信アンプ２１６は、制御部２１０が受信した制御用パソコン３０からの送信電力制御信号に基づく制御部２１０からの利得制御信号により利得制御される。この送信電力の制御は、ＧＰＳ電波発生器２１からのＧＰＳ電波の携帯電話端末５０での受信電界強度が、携帯電話端末５０が地図上の所定の位置に実際に在るときに、実際上のＧＰＳ衛星からのＧＰＳ電波を受信したときと同じ受信電界強度となるようにするためのものである。
【００８０】
以上のことから判るように、制御用パソコン３０からの送信電力制御信号およびＧＰＳ衛星ＩＤ、拡散符号切り替え信号、エフェリメスデータを含む航法メッセージを受けることにより、ＧＰＳ電波発生器２１，２２，２３，２４のそれぞれは、いずれのＧＰＳ衛星からのＧＰＳ電波をも発生可能である。
【００８１】
［制御用パソコン３０のハードウエア構成例］
図４に、この実施形態の制御用パソコン３０のハードウエア構成例を示す。この例においては、制御用パソコン３０は、システムバス３００に対してＣＰＵ（Central  Processing  Unit）３０１と、プログラム等を格納するＲＯＭ（Read  Only  Memory）３０２と、ワークエリアとして働くＲＡＭ（Random  Access  Memory）３０３とが接続される。
【００８２】
また、この例では、システムバス３００には、操作部インターフェース３０４と、ディスプレイインターフェース３０５と、Ｉ／Ｏポート３０６および３０７が接続される。操作部インターフェース２０４には、マウスやキーボードなどを含む操作部３０８が接続される。ディスプレイインターフェース３０５には、ＬＣＤ（Liquid  Crystal  Display）などからなるディスプレイ３０９が接続されている。また、Ｉ／Ｏポート３０６には、フェムトセル基地局１１，１２，１３が、それぞれ独立に入出力することができる状態で接続されている。さらに、Ｉ／Ｏポート３０７には、ＧＰＳ電波発生器２１，２２，２３，２４が、それぞれ独立に入出力することができる状態で接続されている。
【００８３】
さらに、また、この例の制御用パソコン３０は、地図データメモリ３１０と、基地局情報記憶部３１１と、ＧＰＳ衛星情報記憶部３１２と、基地局制御信号生成部３１３と、ＧＰＳ電波発生器制御信号生成部３１４と、試験スケジュールデータ格納部３１５と、通信インターフェース３１６とが接続されている。
【００８４】
ＣＰＵ３０１は、この制御用パソコン３０の全体の動作を制御するものである。ＲＯＭ３０２には、この制御用パソコンにおける各種制御処理を実行するためのプログラムの他、前述した現在位置に関連するサービスの提供をサービスサーバ６３から取得するためのアプリケーションプログラムが記憶されている。ＣＰＵ３０１は、ＲＡＭ３０３をワークエリア用のメモリとして用いて、このＲＯＭ３０２に格納されているプログラムにしたがった処理を実行する。
【００８５】
操作部インターフェース３０４は、操作部インターフェース３０４は、操作部３０８を通じた操作入力に応じた操作データをシステムバス３００に入力する。ＣＰＵ３０１は、操作部インターフェース３０４からの操作データを常に監視して、操作データがシステムバス３００に現れたときには、それを解析して、いずれの操作がなされたかを検出し、その検出結果に応じた処理を実行する。
【００８６】
ディスプレイインターフェース３０５は、ＣＰＵ３０１の制御にしたがって、ディスプレイ３０９に、地図データメモリ３１０に格納されている地図データに基づく地図画像や、サービスサーバ６３から取得した周辺検索結果などを表示する。
【００８７】
地図データメモリ３１０は、試験対象である携帯電話端末５０の使用を実際に予定している国や地域の地図データを格納している。この地図データに基づく地図上で、携帯電話端末５０を仮想的に移動することにより、携帯電話端末５０の試験を行う。
【００８８】
基地局情報記憶部３１１は、地図データメモリ３１０に格納されている地図データに関連して、試験対象である携帯電話端末５０を使用する国や地域に設置されている基地局の基地局の番号（基地局ＩＤ）、設置位置、などを記憶している。この基地局情報記憶部３１１の記憶情報は、この例では、試験用位置管理サーバ６２から事前に取得されて格納されている。
【００８９】
ＧＰＳ衛星情報記憶部３１２は、アルマナックデータおよびエフェリメスデータから、地図上の各位置において、どのＧＰＳ衛星からのＧＰＳ電波を受信できるかのデータを記憶する。記憶データとしては、各位置に対応付けて、その位置でＧＰＳ電波を受信できるＧＰＳ衛星のＩＤ、当該ＧＰＳ衛星までの距離、当該ＧＰＳ衛星が持つエフェリメスデータ、当該ＧＰＳ衛星が使用する拡散符号の識別子などからなる。
【００９０】
基地局制御信号生成部３１３は、試験対象の携帯電話端末５０を地図上で仮想的に移動させたときに、ＣＰＵ３０１の制御に基づいて、移動中の各地図上位置におけるフェムトセル基地局１１，１２，１３のそれぞれに対する基地局制御信号を生成する。ＣＰＵ３０１は、この基地局制御信号生成部３１３で生成された基地局制御信号を、Ｉ／Ｏポート３０６を通じて、フェムトセル基地局１１，１２，１３のそれぞれに供給する。
【００９１】
ＧＰＳ電波発生器制御信号生成部３１４は、試験対象の携帯電話端末５０を地図上で仮想的に移動させたときに、ＣＰＵ３０１の制御に基づいて、移動中の各地図上位置におけるＧＰＳ電波発生器２１，２２，２３，２４のそれぞれに対するＧＰＳ電波発生器制御信号を生成する。ＣＰＵ３０１は、このＧＰＳ電波発生器制御信号生成部３１４で生成されたＧＰＳ電波発生器制御信号を、Ｉ／Ｏポート３０７を通じて、ＧＰＳ電波発生器２１，２２，２３，２４のそれぞれに供給する。
【００９２】
試験スケジュールデータ格納部３１５は、オペレータにより設定された試験スケジュールデータを格納保持する。
【００９３】
なお、図４において、基地局制御信号生成部３１３と、ＧＰＳ電波発生器制御信号生成部３１４は、ＣＰＵ３０１が、ＲＯＭ３０２のプログラムにしたがって実行するソフトウエア処理機能部として構成することもできる。
【００９４】
通信インターフェース３１６は、通信ネットワーク６１に接続されており、基地局情報を取得したりするために試験用位置管理サーバ６２にアクセスする際に用いられる。
【００９５】
［試験スケジュールの設定について］
試験スケジュールの設定方法について説明する。  
オペレータは、操作部３０８を通じて、携帯電話端末５０を実際に使用しようとする国の特定の地域を、試験を行おうとする国の特定の地域として指定入力する。すると、ＣＰＵ３０１は、指定された国の特定の地域の地図データを地図データメモリ３１０から取得して、当該指定された国の特定の地域の地図画像を、例えば図５に示すように、ディスプレイ３０９に表示する。
【００９６】
次に、オペレータは、操作部３０８のマウスなどにより、このディスプレイ３０９に表示された地図画像上で、試験対象の携帯電話端末５０を仮想的に移動させる移動経路を、図５において太線で示すように、指定入力する。また、オペレータは、操作部３０８を通じて、移動経路上において、携帯電話端末５０を一旦停止させて、サービスサーバ６３にアクセスしてサービスを受ける位置を指定入力する。
【００９７】
図５において、Ｓｔは移動経路のスタート地点、Ｅｄは移動経路の終了地点であり、Ｔ１〜Ｔ８のそれぞれは、携帯電話端末５０を一旦停止させて、サービスサーバ６３にアクセスしてサービスを受けるアクセス実行地点を示している。
【００９８】
以上のようにして、オペレータにより設定された試験を仮想的に行う地域の地図情報および移動経路、アクセス実行地点の位置情報が、試験スケジュールデータ格納部３１５に格納される。オペレータにより設定された試験スケジュールデータが複数存在する場合には、試験スケジュールデータ格納部３１５には、試験スケジュールデータのそれぞれに識別ファイル名などが付与されて、格納される。試験スケジュールデータは、同じ地図上で異なる移動経路を設定した場合にも、別のものとして、試験スケジュールデータ格納部３１５に格納される。
【００９９】
試験を行うに際しては、オペレータは、試験スケジュールデータ格納部３１５に格納されている複数の試験スケジュールデータの一覧から、試験を実際に行おうとする試験スケジュールデータを選択指定することができる。
【０１００】
移動経路の設定が終了したら、制御用パソコン３０は、通信インターフェース３１６を通じ、通信ネットワーク６１を通じて試験用位置管理サーバ６２にアクセスする。そして、制御用パソコンは、設定した移動経路上の所定距離間隔毎の地点の位置情報（緯度および経度）を、試験用位置管理サーバ６２に送って、基地局情報の取得を要求する。この基地局情報の取得要求を受けた試験用位置管理サーバ６２は、受け取った位置情報の地点で受信可能な基地局の基地局ＩＤ（基地局番号）と、その位置情報（緯度および経度）とを検索して、制御用パソコン３０に送信する。
【０１０１】
制御用パソコン３０は、この基地局ＩＤ（基地局番号）およびその位置情報からなる基地局情報を受け取ると、その移動経路が設定された試験スケジュールデータの識別ファイル名と、その移動経路の各地点の位置情報とに関連付けて、その基地局情報を、基地局情報記憶部３１１に格納する。
【０１０２】
これにより、試験スケジュールを実行したときに、携帯電話端末５０の移動経路上の位置が確定すると、その位置情報（緯度、経度）により基地局情報記憶部３１１を参照することにより、当該位置において、試験対象の携帯電話端末５０と通信可能となる基地局が判定できる。ちなみに、図５において、丸印で示したのは、基地局が設置されている位置である。実際の地図上には、この基地局の設置位置は表示されていても良いし、表示されていなくても良い。
【０１０３】
同様に、移動経路上の位置が確定すると、その位置情報によりＧＰＳ衛星情報記憶部３１２を参照することにより、当該位置において、受信可能となるＧＰＳ衛星を判定することができる。
【０１０４】
なお、地図上の仮想移動経路を携帯電話端末５０が移動する際に、基地局信号を受信可能となる基地局の個数は、図５に示したように、多数個となる。この多数個の基地局の数だけ、フェムトセル基地局を設けて、試験環境装置を構成するようにすれば、それらのフェムトセル基地局の送信電力を携帯電話端末５０があたかも実際に設置されている基地局から送信されているように制御すれば良い。
【０１０５】
しかしながら、携帯電話端末５０の地図上での移動の際に必要とする基地局の全数分だけ、フェムトセル基地局を設ける場合には、多数個のフェムトセル基地局を用意しなければならない。それでは、試験環境装置の構成が大規模になると共に、コスト高となる。
【０１０６】
ところで、地図上における携帯電話端末５０が基地局信号を受信可能となる基地局の数は、例えば３個程度と限られている。そして、携帯電話端末５０が移動するにしたがって、携帯電話端末５０が受信可能となる基地局信号を発生する基地局が変わってゆく。
【０１０７】
そこで、この実施形態の試験環境装置では、必要最小限の数、例えば３個のフェムトセル基地局１１，１２，１３を設ける。そして、地図上位置における携帯電話端末５０が基地局信号を受信可能となる基地局を判定して、その判定された基地局のＩＤ（基地局番号）を、各フェムトセル基地局１１，１２，１３に割り当てる。そして、携帯電話端末５０の地図上の位置が変更したときには、その変更後の位置において、携帯電話端末５０が基地局信号を受信可能となる基地局を判定して、その判定された基地局のＩＤ（基地局番号）を、フェムトセル基地局に割り当てるように変更する。すなわち、フェムトセル基地局１１，１２，１３に割り当てる基地局を、携帯電話端末５０の移動に応じて、切り替え変更するものである。
【０１０８】
ＧＰＳ電波発生器についても、全く同様の考えの下に、測位に必要な最小限の４個のＧＰＳ電波発生器２１，２２，２３，２４を備える。そして、４個のＧＰＳ電波発生器２１，２２，２３，２４に割り当てるＧＰＳ衛星を、携帯電話端末５０の移動に応じて、切り替え変更するものである。
【０１０９】
［試験スケジュールに基づく試験の実行時の制御用パソコンの処理例］
オペレータは、試験対象の携帯電話端末５０を、フェムトセル基地局１１，１２，１３に対する配置関係を前述したようにすると共に、ＧＰＳ電波発生器２１，２２，２３，２４に対する配置関係を前述したようにして、試験環境室１０の所定位置に固定配置する。
【０１１０】
そして、オペレータは、試験スケジュールデータ格納部３１５に格納されている試験スケジュールデータのうちから、これから試験を行おうとする国や地域についての試験スケジュールデータを選択して、試験開始を指示する。
【０１１１】
なお、このとき、携帯電話端末５０の試験時の移動速度は、オペレータが任意に設定しても良いし、予め、設定された複数通りの移動速度の中から、オペレータが選択指定するようにしても良い。
【０１１２】
試験スケジュールに基づく試験の実行時の制御用パソコン３０の処理動作例を、図６および図７のフローチャートを参照しながら説明する。なお、この図６および図７の各ステップの処理は、制御用パソコン３０のＣＰＵ３０１が、ＲＯＭ３０２のプログラムにしたがって、ＲＡＭ３０３をワークエリアとして用いて実行するものである。そして、以下の例は、ＣＰＵ３０１が、基地局制御信号生成部３１３と、ＧＰＳ電波発生器制御信号生成部３１４の処理機能をソフトウエア処理機能部として構成した場合に相当する。
【０１１３】
先ず、制御用パソコン３０のＣＰＵ３０１は、試験スケジュールデータに基づいて、携帯電話端末５０の仮想的な地図上の現在位置を認定（検出）する（ステップＳ１０１）。そして、ＣＰＵ３０１は、認定した地図上の現在位置のデータにより基地局情報記憶部３１１の記憶内容を参照して、当該地図上位置に在る携帯電話端末５０が基地局信号を受信可能な基地局を判定する（ステップＳ１０２）。
【０１１４】
そして、ＣＰＵ３０１は、ステップＳ１０２で判定した基地局ＩＤ（基地局番号）のそれぞれを、フェムトセル基地局１１，１２，１３に対して割り当てる（ステップＳ１０３）。次に、ＣＰＵ３０１は、ステップＳ１０３でのフェムトセル基地局１１，１２，１３に対する基地局の割り当てが、一つ前の地図上位置のときとは変更されたか否か判別する（ステップＳ１０４）。
【０１１５】
ステップＳ１０４で、フェムトセル基地局１１，１２，１３に対する基地局の割り当てが変更されたと判別したときには、ＣＰＵ３０１は、フェムトセル基地局１１，１２，１３のうち、割り当てが変更されたフェムトセル基地局に対する基地局ＩＤ（基地局番号）を当該フェムトセル基地局に送信する（ステップＳ１０５）。
【０１１６】
そして、ステップＳ１０５の次には、ＣＰＵ３０１は、各フェムトセル基地局１１，１２，１３に対して送信電力制御信号を送り、あたかもステップＳ１０２で判定した基地局から、試験対象の携帯電話端末５０に対して基地局信号が送信されているように、各フェムトセル基地局１１，１２，１３から出力される基地局信号の送信電力を制御する（ステップＳ１０６）。
【０１１７】
このとき、ＣＰＵ１０１は、ステップＳ１０２で判定された各基地局の位置と、試験対象の携帯電話端末５０の地図上の位置とから、各基地局と携帯電話端末５０の位置との間の距離を算出し、その距離に応じて、各フェムトセル基地局１１，１２，１３に対する送信電力制御信号を生成するものである。
【０１１８】
ステップＳ１０４で、フェムトセル基地局１１，１２，１３に対する基地局の割り当てが変更されてはいないと判別したときには、ＣＰＵ３０１は、ステップＳ１０５をバイパスして、ステップＳ１０４からステップＳ１０６にジャンプし、前述した各フェムトセル基地局１１，１２，１３に対する送信電力制御を行う。
【０１１９】
次に、ＣＰＵ３０１は、ステップＳ１０１で認定した地図上の現在位置のデータによりＧＰＳ衛星情報記憶部３１２の記憶内容を参照して、当該地図上位置に在る携帯電話端末５０がＧＰＳ電波を受信可能なＧＰＳ衛星を判定する（ステップＳ１０７）。
【０１２０】
そして、ＣＰＵ３０１は、ステップＳ１０７で判定したＧＰＳ衛星のそれぞれを、ＧＰＳ電波発生器２１，２２，２３，２４に対して割り当てる（ステップＳ１０８）。次に、ＣＰＵ３０１は、ステップＳ１０８でのＧＰＳ電波発生器２１，２２，２３，２４に対するＧＰＳ衛星の割り当てが、一つ前の地図上位置のときとは変更されたか否か判別する（図７のステップＳ１１１）。
【０１２１】
ステップＳ１１１で、ＧＰＳ電波発生器２１，２２，２３，２４に対するＧＰＳ衛星の割り当てが変更されたと判別したときには、ＣＰＵ３０１は、ＧＰＳ電波発生器２１，２２，２３，２４のうち、割り当てが変更されたＧＰＳ電波発生器に対するＧＰＳ衛星ＩＤと、対応するエフェメリスデータを当該ＧＰＳ電波発生器に送信する（ステップＳ１１２）。
【０１２２】
そして、ステップＳ１１２の次には、ＣＰＵ３０１は、各ＧＰＳ電波発生器２１，２２，２３，２４に対して送信電力制御信号を送り、あたかもステップＳ１０７で判定したＧＰＳ衛星から、試験対象の携帯電話端末５０に対してＧＰＳ電波が送信されているように、各ＧＰＳ電波発生器２１，２２，２３，２４から出力されるＧＰＳ電波の送信電力を制御する（ステップＳ１１３）。
【０１２３】
また、ステップＳ１１１で、ＧＰＳ電波発生器２１，２２，２３，２４に対するＧＰＳ衛星の割り当てが変更されてはいないと判別したときには、ＣＰＵ３０１は、ステップＳ１１２をバイパスして、ステップＳ１１１からステップＳ１１３にジャンプし、前述した各ＧＰＳ電波発生器２１，２２，２３，２４に対する送信電力制御を行う。
【０１２４】
ステップＳ１１３の次には、ＣＰＵ３０１は、地図上の現在位置は、試験スケジュールにおいてサービスサーバ６３に対してサービスのためのアクセスをするアクセス実行地点であるか否か判別する（ステップＳ１１４）。
【０１２５】
このステップＳ１１４で、地図上の現在位置は、アクセス実行地点であると判別したときには、ＣＰＵ３０１は、サービスサーバ６３へのアクセスをオペレータに実行依頼するメッセージをディスプレイ３０９に表示する（ステップＳ１１５）。オペレータは、この依頼に応じて、サービスサーバ６３へのアクセスを実行する。そして、そのアクセスの結果、正しくサービスを得ることができるか否か試験をする。そして、アクセスが終了してサービス受信の試験が終了したら、オペレータは再スタートを操作入力する。
【０１２６】
ＣＰＵ３０１は、オペレータによる再スタートの操作入力による再スタート指示を待ち（ステップＳ１１６）、再スタート指示を確認すると、試験スケジュールにしたがって携帯電話端末５０の地図上での仮想的移動を行う（ステップＳ１１７）。そして、地図上での移動位置が試験終了地点Ｅｄであるか否かにより、試験終了であるか否か判別する（ステップＳ１１８）。
【０１２７】
このステップＳ１１８で、試験終了であると判別したときには、ＣＰＵ３０１は、この処理ルーチンを終了する。また、このステップＳ１１８で、試験終了ではないと判別したときには、ＣＰＵ２０１は、処理をステップＳ１０１に戻し、このステップＳ１０１以降の処理を繰り返す。
【０１２８】
また、ステップＳ１１４で、地図上の現在位置は、アクセス実行地点ではないと判別したときには、ＣＰＵ３０１は、ステップＳ１１５およびステップＳ１１６をバイパスしてステップＳ１１７に進み、前述したステップＳ１１７以降の処理を繰り返す。
【０１２９】
なお、図６および図７の説明では省略したが、制御用パソコン３０は、地図上位置における基地局が、試験が実行された日時に送出するのと等しいアルマナックデータを、フェムトセル基地局１１，１２，１３のそれぞれから送信されるように制御する。すなわち、制御用パソコン３０は、試験時における携帯電話端末５０の仮想の位置情報を試験用位置管理サーバ６２に送る。すると、試験用位置管理サーバ６２は、当該位置の当該日時におけるアルマナックデータを、フェムトセル基地局１１，１２，１３を通じて、携帯電話端末５０に送信するようにする。したがって、携帯電話端末５０は、あたかも実際に地図上位置に存在していて、その位置で基地局から得たアルマナックデータを用いて、Ａ−ＧＰＳ方式の測位を行うことができる。
【０１３０】
以上のようにして、この実施形態の試験環境装置およびシステムによれば、携帯電話端末５０が、使用が予定される国や地域で実際に移動して試験が行われる場合と全く同様の試験環境を実現することができる。よって、この実施形態の試験環境装置およびシステムを用いれば、例えば日本で使用される携帯電話端末が海外で製造された場合には、その試験も、当該海外で、日本において行ったのと同様の環境で行うことができるようになる。また、逆に、海外で使用される携帯電話端末を日本で製造して、その試験を日本において、海外で行ったと同様の環境で行うことができる。
【０１３１】
なお、上述の説明では、携帯電話端末５０のアプリケーションプログラムを用いてサービスサーバ６３へのアクセスは、オペレータが携帯電話端末５０を操作して実行するようにしたが、制御用パソコン３０からの制御指示で、サービスサーバ６３へのアクセスするように、試験対象の携帯電話端末５０を構成するようにしても良い。その場合には、オペレータの手を経ることなく、試験スケジュール通りの試験を、全て自動で行うようにすることができる。
【０１３２】
［他の実施形態または変形例］
以上の実施形態の説明は、現在位置に関連する所定の処理機能を備えるアプリケーションプログラムの試験を行う場合を想定したので、ＧＰＳ電波を用いて正確な現在位置を測位することを構成要件とした。
【０１３３】
しかし、携帯電話端末５０の通信性能や位置情報を必要としないアプリケーションプログラムの動作試験の場合には、フェムトセル基地局のみを設ければよいので、ＧＰＳ電波発生器は、必須ではない。例えば、地図上を移動しながら、携帯電話端末５０で携帯電話網６１を介した相手方との通話試験は、フェムトセル基地局１１，１２，１３のみを用いて行うことができる。
【０１３４】
また、現在位置に関連する所定の処理機能を備えるアプリケーションプログラムの試験を行う場合にも、複数の基地局からの基地局信号に基づいて現在位置を知ることができるので、その現在位置を用いることで、ＧＰＳ電波発生器を省略するようにしても良い。
【０１３５】
また、上述の実施形態では、制御用パソコン３０は、試験を開始する前に、試験スケジュールで設定された移動経路の各位置についての基地局情報を試験用位置管理サーバ６２から取得して、基地局情報記憶部３１１に格納しておき、試験の際には、この基地局情報記憶部３１１から基地局情報を読み出して、フェムトセル基地局１１，１２，１３に基地局ＩＤ（番号）を設定したり、基地局制御信号を生成したりするようにした。
【０１３６】
しかし、制御用パソコン３０は、試験スケジュールに基づいて試験を行ないながら、試験用位置管理サーバ６２にアクセスして基地局情報を取得することにより、基地局情報記憶部３１１を不用にすることもできる。すなわち、その場合には、制御用パソコン３０は、試験スケジュールに基づいた地図上の各位置の情報を、試験用位置管理サーバ６２に送り、基地局情報を取得し、フェムトセル基地局１１，１２，１３に基地局ＩＤ（番号）を設定したり、基地局制御信号を生成したりする。
【０１３７】
また、上述の実施形態では、制御用パソコン３０は、フェムトセル基地局１１，１２，１３に基地局番号を設定して、フェムトセル基地局１１，１２，１３の基地局番号を切り替えるようにした。しかし、次のように構成すれば、フェムトセル基地局１１，１２，１３では、基地局番号の設定は不要となり、基地局番号を切り替えが不要になる。
【０１３８】
すなわち、試験用位置管理サーバ６２には、フェムトセル基地局１１，１２，１３の識別情報（基地局ＩＤ）が登録されているので、試験用位置管理サーバ６２は、制御用パソコン３０からの地図上の位置情報を受け取ったときに、その位置において受信可能な基地局と、フェムトセル基地局１１，１２，１３との対応テーブルを作成する。そして、その対応テーブルの情報を、制御用パソコン３０に通信ネットワーク６１を通じて送信する。この対応テーブルの情報には、少なくともフェムトセル基地局１１，１２，１３のそれぞれと、それが対応する基地局の位置情報が含まれるものである。
【０１３９】
試験用位置管理サーバ６２は、フェムトセル基地局１１，１２，１３を通じて送られてくる情報は、この対応テーブルを参照して、各フェムトセル基地局１１，１２，１３が対応する基地局からあたかも送られてきたように処理を行なう。
【０１４０】
また、制御用パソコン３０は、受信した対応テーブルの情報から、各フェムトセル基地局１１，１２，１３に供給する基地局制御信号を生成して、それぞれのフェムトセル基地局１１，１２，１３に供給するようにする。
【０１４１】
この例の場合には、制御用パソコン３０は、フェムトセル基地局１１，１２，１３の基地局番号を切り替える処理が不要になり、処理プログラムを簡略化できると共に、フェムトセル基地局１１，１２，１３でも基地局番号を切り替えるという処理が不要になるという効果がある。
【０１４２】
なお、上述の実施形態では、基地局信号発生手段は、フェムトセル基地局としたが、同等の機能を備えるものであれば、フェムトセル基地局に限られない。
【０１４３】
以上の説明は、無線通信機器が携帯電話端末の場合について説明したが、この発明が適用される無線通信機器は、携帯電話端末に限らず、無線通信機能を備える携帯型端末であれば適用できることは言うまでもない。
【符号の説明】
【０１４４】
１０…試験環境室、１１，１２，１３…フェムトセル基地局、２１，２２，２３，２４…ＧＰＳ電波発生器、３０…制御用パソコン、４０…試験結果収集装置、５０…試験対象の無線通信機器の例としての携帯電話端末、６３…サービスサーバ
【図１】
0005474722.tif 000002
【図２】
0005474722.tif 000003
【図３】
0005474722.tif 000004
【図４】
0005474722.tif 000005
【図５】
0005474722.tif 000006
【図６】
0005474722.tif 000007
【図７】
0005474722.tif 000008